(57)【特許請求の範囲】
【請求項１】
顧客の意見に基づいて顧客の特性を分析して住宅設備建材を提案する住宅設備建材提案システムであって、
顧客意識に関する各項目毎の段階評価からなるライフスタイルデータを入力する入力部と、
顧客のライフスタイルに関するコンセプトを適切に表すキーワード、文章、及び取り扱う住宅設備建材がこのコンセプトに応じて分類されて記憶した記憶部と、
複数の前記顧客の前記ライフスタイルデータをデザイン重視と機能重視とを両極とする第１軸と、プライバシーとオープン性とを両極とする第２軸とで決定される座標に羅針盤的に図示するチャート表示手段と、
複数の前記顧客の前記ライフスタイルデータに基づいて、これら顧客に共通する前記ライフスタイルデータの評価点の高い項目から順に前記記憶部に記憶された対応する前記キーワードを所定の数、抽出してライフスタイルに関する共通コンセプトとし、これら顧客に共通しない前記ライフスタイルデータの評価点の高い項目から順に前記記憶部に記憶された対応する前記キーワードを所定の数、抽出してライフスタイルに関する独自コンセプトとし、前記共通コンセプトと前記独自コンセプトとを図示するコンセプト抽出手段と、
複数の前記顧客の前記ライフスタイルデータに基づいて前記記憶部に記憶された対応する前記文章を抽出して顧客の家づくりに関するトータルコンセプトを文章化する特性分析手段と、
前記コンセプト抽出手段によって抽出された前記共通コンセプトを持つ前記住宅設備建材を前記記憶部から抽出する住宅設備建材抽出手段とを備えていることを特徴とする住宅設備建材提案システム。
【請求項２】
前記入力部、前記記憶部、前記チャート表示手段、前記コンセプト抽出手段、前記特性分析手段及び前記住宅設備建材抽出手段を設け、前記入力部から受注データ及び逸注データが入力される複数のクライアントコンピュータと、これらクライアントコンピュータとネット接続され、これらクライアントコンピュータに入力されたデータの保管及び提供並びにこれらクライアントコンピュータにインストールされるプログラム及びデータの更新が行われるサーバコンピュータとから構成されている請求項１記載の住宅設備建材提案システム。
【発明の詳細な説明】
【技術分野】
【０００１】
本発明は、住宅設備建材提案システムに関する。
【背景技術】
【０００２】
住まいはキッチン、浴室、トイレ、居間、寝室等の部屋によって構成され、各部屋はそこに設けられるシンク、浴槽等の設備や建材からなる住宅設備建材によって構成される。人がこのような住まいの新築又はリフォームの意識をもっている場合、従来の建築業者や住宅設備建材メーカの担当者は、ショールーム等に訪ねてくるエンドユーザ等の顧客の雰囲気等に基づいて顧客の嗜好する部屋を予想し、多くの住宅設備建材が掲載されたカタログからその予想に従って各部屋の住宅設備建材を提案する。顧客がその提案を受け入れられれば、見積もり、設計、発注を経て、工事が進行することとなる。
【発明の開示】
【発明が解決しようとする課題】
【０００３】
しかし、このような住まいの建築の意識をもつ顧客は、自分にとってどのような部屋がいいかを具体的に把握していないことが多い。このため、建築業者や住宅設備建材メーカの担当者の予想が外れることも多く、その場合には発注に至らず、顧客満足度も上がらない。
【０００４】
本発明は、上記従来の実情に鑑みてなされたものであって、住まいに関し、顧客の特性をより正確に予想し、ひいては工事の受注率を上げ、顧客満足度を向上させることを解決すべき課題としている。
【課題を解決するための手段】
【０００５】
本発明の住宅設備建材提案システムは、顧客の意見に基づいて顧客の特性を分析して住宅設備建材を提案する住宅設備建材提案システムであって、
顧客意識に関する各項目毎の段階評価からなるライフスタイルデータを入力する入力部と、
顧客のライフスタイルに関するコンセプトを適切に表すキーワード、文章、及び取り扱う住宅設備建材がこのコンセプトに応じて分類されて記憶した記憶部と、
複数の前記顧客の前記ライフスタイルデータをデザイン重視と機能重視とを両極とする第１軸と、プライバシーとオープン性とを両極とする第２軸とで決定される座標に羅針盤的に図示するチャート表示手段と、
複数の前記顧客の前記ライフスタイルデータに基づいて、これら顧客に共通する前記ライフスタイルデータの評価点の高い項目から順に前記記憶部に記憶された対応する前記キーワードを所定の数、抽出してライフスタイルに関する共通コンセプトとし、これら顧客に共通しない前記ライフスタイルデータの評価点の高い項目から順に前記記憶部に記憶された対応する前記キーワードを所定の数、抽出してライフスタイルに関する独自コンセプトとし、前記共通コンセプトと前記独自コンセプトとを図示するコンセプト抽出手段と、
複数の前記顧客の前記ライフスタイルデータに基づいて前記記憶部に記憶された対応する前記文章を抽出して顧客の家づくりに関するトータルコンセプトを文章化する特性分析手段と、
前記コンセプト抽出手段によって抽出された前記共通コンセプトを持つ前記住宅設備建材を前記記憶部から抽出する住宅設備建材抽出手段とを備えていることを特徴とする。
【０００６】
発明者らの調査によれば、以下のことが判明した。すなわち、例えば、リフォームにおいては、住宅設備建材のメーカのショールームを訪問するエンドユーザは、すでにその計画がある程度決まっており、建築業者の勧めでショールームを訪問している。業者任せでリフォーム計画を進めており、最終的な商品選定・仕様確認や複数メーカーの商品比較が主な訪問目的である。このような顧客は、昨今、自らの意志でショールームを訪れており、「リフォームをしたい」という漠然とした目的の中で、情報収集の一貫としてショールームを訪問している。これまではリフォームに関する情報を入手する手段があまり発達しておらず、近くのリフォーム業者を頼る顧客が多かった。しかしながら、最近では、リフォームに関する雑誌の発行・ＴＶ番組・インターネットサイト等によって、エンドユーザがリフォーム情報を容易に入手できる環境が整ってきた。これによって、住宅設備建材のメーカのショールームを訪れる顧客が増えてくると思われる。
【０００７】
このため、建築業者や住宅設備建材メーカの担当者が顧客に対して本発明の住宅設備建材提案システムを用い、入力部に顧客の意見に基づいたライフスタイルデータが入力されれば、コンセプト抽出手段は、そのライフスタイルデータに基づいて顧客のライフスタイルに関するコンセプトを抽出する。記憶部には、取り扱う住宅設備建材が個々のコンセプトに応じて分類されて記憶されているため、住宅設備建材抽出手段は、そのコンセプト抽出手段によって抽出されたコンセプトをもつ住宅設備建材を記憶部から抽出する。このため、その担当者は、顧客のよき相談相手となって密接なコミュニケーションを取ることができ、潜在化した顧客の特性を明確な形で提示できるとともに、具体的な建築提案書を簡単に提示できる。
【０００８】
図１に示すように、顧客の特性は、デザイン重視と機能重視とを両極とする第１軸と、プライバシーとオープン性とを両極とする第２軸とで決定される座標で羅針盤的に表現され得る。
【０００９】
この座標の第１象限であるＡゾーンは「挑戦し続ける自分」を重視するゾーンであり、このＡゾーンに属する人は、間取りプラン、プライベート空間（個室など）に高い興味をもち、自分時間、寛ぎ、休憩がキーワードとなる。
【００１０】
この座標の第４象限であるＢゾーンは「自分流のライフスタイル」を重視するゾーンであり、このＢゾーンに属する人は、ライフスタイルとデザイン、インテリア・エクステリアに高い興味をもち、自己表現、デザインがキーワードとなる。
【００１１】
この座標の第３象限であるＣゾーンは「団欒と交流  家族と仲間」を重視するゾーンであり、このＣゾーンに属する人は、間取りプラン、団欒、応接、パブリックな空間についてに高い興味をもち、もてなし、ふれあいがキーワードとなる。
【００１２】
この座標の第２象限であるＤゾーンは「機能と工夫」を重視するゾーンであり、このＤゾーンに属する人は、機能優先派、質実剛健、ハード性能、メンテナンスに高い興味をもち、健康、安全、工夫、配慮がキーワードとなる。
【００１３】
したがって、この住宅設備建材提案システムによれば、住まいに関し、顧客の特性をより正確に予想し、ひいては工事の受注率を上げ、顧客満足度を向上させることができる。
【００１４】
入力部、コンセプト抽出手段、記憶部及び住宅設備建材抽出手段は複数のクライアントコンピュータ内に設けられ得る。そして、各クライアントコンピュータとネット接続されたサーバコンピュータにより、各クライアントコンピュータに入力されたデータの保管及び提供並びに各クライアントコンピュータにインストールされるプログラム及びデータの更新が行われるように構成され得る。この場合、各クライアントコンピュータにより迅速な住宅設備建材の提案を行うことができるとともに、サーバコンピュータからの情報提供により各クライアントコンピュータを最適な状態に確保することも可能になり、工事の受注率の向上、顧客満足度の向上を実現し易い。
【００１５】
この住宅設備建材提案システムは、ライフスタイルデータを図示するチャート表示手段を備えている。この場合、例えば、カラーで見やすく色分けされたユーザの価値観の分布図を作成することができる。このため、ライフスタイルデータの重み、組み合わせ、夫婦間のずれ等によって、過去の実績からその顧客の価値観を推測することができる。顧客の価値観を適切にあらわすキーワード及び文章とそのロジックを利用することができる。
【００１６】
チャート表示手段はクライアントコンピュータ内に設けられ得る。この場合、各クライアントコンピュータによりさらに迅速な住宅設備建材の提案を行うことができる。
【００１７】
ライフスタイルデータに基づいて顧客の特性を分析する特性分析手段を備えている。この場合、顧客の価値観と重要視する内容などを図示することができる。また、顧客と担当者とで価値観を認識しながら建築方針を検討するための参考資料とすることもできる。建築時のコンセプトを明示する場合には、顧客と担当者とで興味のある分野・建築の方針を決定するための参考資料とすることができる。
【００１８】
特性分析手段はクライアントコンピュータ内に設けられ得る。この場合も、各クライアントコンピュータによりさらに迅速な住宅設備建材の提案を行うことができる。
【００１９】
コンセプト抽出手段は、複数の顧客が同居する場合には、各顧客のライフスタイルデータに基づいて、各顧客に共通するライフスタイルに関する共通コンセプトと、各顧客に共通しないライフスタイルに関する独自コンセプトとを抽出する。この場合、複数者（夫婦が多い）のそれぞれの価値観と重要視する内容などを図示することができる。また、顧客とアドバイザーで夫婦間の違いを認識しながらリフォーム方針を検討するための参考資料とすることもできる。そして、住宅設備建材抽出手段は、共通コンセプトをもつ住宅設備建材を記憶部から抽出する。これにより、複数者の個々を尊重しながら、価値観が共通する部分を最大限生かした住宅設備建材の提案を行うことができる。
【００２０】
ライフスタイルデータは、「挑戦し続ける自分」、「自分流のライフスタイル」、「団欒と交流  家族と仲間」及び「機能と工夫」に関する各項目を含むテーマと、各項目毎の段階評価とからなり得る。これらは顧客によって選択される選択手段となり得る。
【００２１】
上記各テーマは、より具体的に下記のように表現され得る。すなわち、「挑戦し続ける自分」のテーマは「いつまでも新しいことに挑戦し続ける自分でありたい。」であり、「自分流のライフスタイル」のテーマは「これからは、自分流に美しく暮らしたい。」であり、「団欒と交流  家族と仲間」のテーマは「いつも家族や仲間を実感できる。そういう生活がしたい。」であり、「機能と工夫」のテーマは「大げさなことよりも小さな配慮と機能性を重視したい。」であり得る。これにより、顧客の特性がより具体的に予想され得る。
【００２２】
発明者らの考察によれば、「いつまでも新しいことに挑戦し続ける自分でありたい。」に関する項目は、「それぞれの生き方を尊重する。永く一緒に暮らすためにも大事な考え方だと思う。」、「どこにいてもくつろげる、リビング機能がたくさんある。そんな暮らしがいいと思う。」、「これからは家族で共通の趣味を楽しむ。そんな生き方を大切にしたい。」、「草木や花を愛でたり、動物を家族のようにいつくしむ暮らしを楽しみたい。」、「好きな家具を選ぶように、自分のスタイルでキッチンを作りこみたいと思う。」、「これからは、家族で少しずつ家事を分担し合う時代だと思う。」、「人に気兼ねなく、ゆっくり休める。平穏なくらしをしたいと思う。」及び「今日の疲れを癒し、明日への活力を養う。入浴や洗面にこそアイデアが必要だ。」であり得る。
【００２３】
また、「これからは、自分流に美しく暮らしたい。」に関する項目は、「歴史ある街の建物のように、自然の風合いをうまく生かした家づくりがいいと思う。」、「機械に頼るよりも、自然の通風と採光をとことん工夫した暮らしが好き。」、「部屋の中にはなるべくモノを置かない。すっきりと片づいた生活をしようと思う。」、「自分に相応しい良い生地を選ぶように、インテリアの素材にもこだわってみたい。」、「機能的なモノほどシンプルで美しいデザインをしているものだと思う。」、「家の外装はやっぱりステイタスだと思う。自分らしいデザインの家でありたい。」、「伝統的だけど新しい。日本人らしさをあらわしたセンスある暮らしが好き。」及び「これからは、どう使うかよりもどう楽しめるかが家づくりの大切なテーマになると思う。」であり得る。
【００２４】
さらに、「いつも家族や仲間を実感できる。そういう生活がしたい。」に関する項目は、「これからは、ライフスタイルを共有し共感し合える仲間を大切にしたいと思う。」、「訪ねて来た人にも我が家のようなくつろぎを味わってもらいたいと思う。」、「料理する人を孤独にさせないつくり。リビング・キッチンという考え方がいいと思う。」、「妻や夫の友人が訪ねてきて一緒に会話を楽しむ。そんなオープンな暮らし方が好きだ。」、「ちょっと手を借りたいときにも、「手伝って」が言いやすいつくり。居間の基本だと思う。」、「気がつけば、自然にみんなが集まってきて好きなことを楽しんでいる。そんな居間がいい。」、「週末にはみんなが集まって、ゆっくり会話と食事を楽しむ。そんなシーンが楽しい。」及び「自分のことは自分でできる、そんな大人な家族の関係。これからは大事なことだと思う。」であり得る。
【００２５】
また、「大げさなことよりも小さな配慮と機能性を重視したい。」に関する項目は、「捨てられない物がたくさんある。だから少しでも収納量の多い家にしたい。」、「家族構成やライフスタイルの変化に応じて変えることのできる機能があるといい。」、「体調がすぐれないときにも安心して使える。水まわりこそ加齢配慮の考え方が必要だ。」、「デザインだけでは選ばない。まずは機能がしっかりしたつくりであることが重要だと思う。」、「家で使う設備はエナルギーをムダにしない。そういう発想が当たり前な時代だと思う。」、「限られたスペースを有効に使える、コンパクトな設計には共感できる。」、「あまり使わないところよりも、毎日よく使うところにこそ工夫と配慮が必要だと思う。」及び「お手入れがラクで、いつまでも永く使えること。設備選びで一番大切なポイントだと思う。」であり得る。
【００２６】
一方、段階評価は、「本当にそう思う」、「まあそう思う」、「どちらともいえない」、「そうは思わない」又は「全然、そう思わない」であり得る。このように段階付けて評価することにより、顧客の特性がより羅針盤的に予想され得る。
【００２７】
この選択手段は、テーマ、各項目及び段階評価からなる顧客意識記入用紙であることができる。このような用紙であれば、顧客が容易にそのライフスタイルデータの入力を行なうことができるため、分析手段によって選択手段の結果を容易に分析することができる。
【００２８】
この住宅設備建材提案システムでは、入力部、コンセプト抽出手段、チャート表示手段及び特性分析手段は選択手段の結果を分析する分析手段となる。また、この住宅設備建材提案システムでは、記憶部及び住宅設備建材抽出手段は、分析手段によって分析された顧客特性に応じた住宅設備建材を選定する選定手段となる。
【００２９】
本発明の住宅設備建材提案システムは、顧客がリフォームの意識をもつ者である場合に効果が大きい。
【発明を実施するための最良の形態】
【００３１】
以下、本発明を具体化した実施例を図面を参照しつつ説明する。
【００３２】
実施例の住宅設備建材提案システムはリフォーム用住宅設備建材を提案するシステムである。この住宅設備建材提案システムは、図２に示すように、個々の工務店に載置された複数のクライアントコンピュータ１ａと、住宅設備建材メーカのショールームに載置された複数のクライアントコンピュータ１ｂと、各クライアントコンピュータ１ａとインターネットにより接続されているとともに、各クライアントコンピュータ１ｂと専用回線によって接続され、住宅設備建材メーカの情報システム部に載置されたサーバ（ホスト）コンピュータ３とからなる。
【００３３】
各クライアントコンピュータ１ａ、１ｂには、図３に示すように、分析手段５及び選定手段７が形成されている。
【００３４】
分析手段５は、入力部５ａと、チャート表示手段５ｂと、コンセプト抽出手段５ｃと、特性分析手段５ｄとからなる。入力部５ａはクライアントコンピュータ１ａ、１ｂのＣＰＵと接続されたキーボード、マウス、ＯＣＲ等からなる。チャート表示手段５ｂ、コンセプト抽出手段５ｃ及び特性分析手段５ｄは、クライアントコンピュータ１ａ、１ｂにインストールされたコンピュータプログラム及びデータによって形成されている。
【００３５】
選定手段７は、記憶部７ａと、住宅設備建材抽出手段７ｂとからなる。記憶部７ａ及び住宅設備建材抽出手段７ｂも、クライアントコンピュータ１ａ、１ｂにインストールされたコンピュータプログラム及びデータによって形成されている。記憶部７ａには、住宅設備建材メーカが取り扱う住宅設備建材が個々のコンセプトに応じて分類されて記憶されている（記憶ステップ）。
【００３６】
サーバコンピュータ３は、図４に示すように、データベース３ａを有しており、図２に示すように、各クライアントコンピュータ１ａ、１ｂに入力されたデータの保管及び提供並びに各クライアントコンピュータ１ａ、１ｂにインストールされたプログラム及びデータの更新が行われるように構成されている。
【００３７】
リフォームの意識をもって個々の工務店又はショールームを訪れた顧客には、図５に示す「ライフスタイルアンケート」の用紙が配布される。この用紙が選択手段及び顧客意識記入用紙である。この用紙及び分析手段５により顧客特性分析システムが構成されている。
【００３８】
この用紙には、「ライフスタイルアンケート」との用紙名、「○○○○リフォームコンシェルジュシステム」とのサービス名に続き、「あなたが大切にしていることは何ですか？」とのアンケートの総括が記載され、「下記の各テーマについて、家族それぞれの「思い」に最も近いと思われる、５〜１の数字を１つ○で囲んで下さい。」との説明がなされている。そして、「挑戦し続ける自分」、「自分流のライフスタイル」、「団欒と交流  家族と仲間」及び「機能と工夫」に関する各項目を含むテーマと、各項目毎の段階評価とが記載されている。
【００３９】
「挑戦し続ける自分」のテーマは「Ａ  いつまでも新しいことに挑戦し続ける自分でありたい。」である。このテーマに関する項目は、「１．それぞれの生き方を尊重する。永く一緒に暮らすためにも大事な考え方だと思う。」、「２．どこにいてもくつろげる、リビング機能がたくさんある。そんな暮らしがいいと思う。」、「３．これからは家族で共通の趣味を楽しむ。そんな生き方を大切にしたい。」、「４．草木や花を愛でたり、動物を家族のようにいつくしむ暮らしを楽しみたい。」、「５．好きな家具を選ぶように、自分のスタイルでキッチンを作りこみたいと思う。」、「６．これからは、家族で少しずつ家事を分担し合う時代だと思う。」、「７．人に気兼ねなく、ゆっくり休める。平穏なくらしをしたいと思う。」及び「８．今日の疲れを癒し、明日への活力を養う。入浴や洗面にこそアイデアが必要だ。」である。
【００４０】
「自分流のライフスタイル」のテーマは「Ｂ  これからは、自分流に美しく暮らしたい。」である。このテーマに関する項目は、「９．歴史ある街の建物のように、自然の風合いをうまく生かした家づくりがいいと思う。」、「１０．機械に頼るよりも、自然の通風と採光をとことん工夫した暮らしが好き。」、「１１．部屋の中にはなるべくモノを置かない。すっきりと片づいた生活をしようと思う。」、「１２．自分に相応しい良い生地を選ぶように、インテリアの素材にもこだわってみたい。」、「１３．機能的なモノほどシンプルで美しいデザインをしているものだと思う。」、「１４．家の外装はやっぱりステイタスだと思う。自分らしいデザインの家でありたい。」、「１５．伝統的だけど新しい。日本人らしさをあらわしたセンスある暮らしが好き。」及び「１６．これからは、どう使うかよりもどう楽しめるかが家づくりの大切なテーマになると思う。」である。
【００４１】
「団欒と交流  家族と仲間」のテーマは「Ｃ  いつも家族や仲間を実感できる。そういう生活がしたい。」である。このテーマに関する項目は、「１７．これからは、ライフスタイルを共有し共感し合える仲間を大切にしたいと思う。」、「１８．訪ねて来た人にも我が家のようなくつろぎを味わってもらいたいと思う。」、「１９．料理する人を孤独にさせないつくり。リビング・キッチンという考え方がいいと思う。」、「２０．妻や夫の友人が訪ねてきて一緒に会話を楽しむ。そんなオープンな暮らし方が好きだ。」、「２１．ちょっと手を借りたいときにも、「手伝って」が言いやすいつくり。居間の基本だと思う。」、「２２．気がつけば、自然にみんなが集まってきて好きなことを楽しんでいる。そんな居間がいい。」、「２３．週末にはみんなが集まって、ゆっくり会話と食事を楽しむ。そんなシーンが楽しい。」及び「２４．自分のことは自分でできる、そんな大人な家族の関係。これからは大事なことだと思う。」である。
【００４２】
「機能と工夫」のテーマは「Ｄ  大げさなことよりも小さな配慮と機能性を重視したい。」である。このテーマに関する項目は、「２５．捨てられない物がたくさんある。だから少しでも収納量の多い家にしたい。」、「２６．家族構成やライフスタイルの変化に応じて変えることのできる機能があるといい。」、「２７．体調がすぐれないときにも安心して使える。水まわりこそ加齢配慮の考え方が必要だ。」、「２８．デザインだけでは選ばない。まずは機能がしっかりしたつくりであることが重要だと思う。」、「２９．家で使う設備はエナルギーをムダにしない。そういう発想が当たり前な時代だと思う。」、「３０．限られたスペースを有効に使える、コンパクトな設計には共感できる。」、「３１．あまり使わないところよりも、毎日よく使うところにこそ工夫と配慮が必要だと思う。」及び「３２．お手入れがラクで、いつまでも永く使えること。設備選びで一番大切なポイントだと思う。」である。
【００４３】
一方、段階評価は、「本当にそう思う」、「まあそう思う」、「どちらともいえない」、「そうは思わない」又は「全然、そう思わない」である。「本当にそう思う」は５ポイントとされ、「まあそう思う」は４ポイントとされ、「どちらともいえない」は３ポイントとされ、「そうは思わない」は２ポイントとされ、「全然、そう思わない」は１ポイントとされる。
【００４４】
なお、この用紙には、顧客の氏名、性別、年代、住所、電話番号、ＦＡＸ番号、ｅ−メールアドレス、続柄、職業、家族構成、建築区分、希望商品と予算、受付日、店名、担当者及び備考からなる基礎情報を記入できるフロントシートが添付されている。希望商品としては、キッチン、洗面、浴室、トイレの各部屋と、外壁、その他が例示されている。
【００４５】
担当者は顧客に対し、この用紙への記入を求める。夫婦で訪れた顧客に対しては、両者に記入を求める。
【００４６】
顧客が記入を終えると、工務店又はショールームの担当者は、図２及び図４に示すように、その３２項目の５段階評価からなるライフスタイルデータを入力部５ａによってクライアントコンピュータ１ａ、１ｂに入力する（入力ステップ）。
【００４７】
クライアントコンピュータ１ａ、１ｂは、チャート表示手段５ｂがライフスタイルデータを図示する。この際、クライアントコンピュータ１ａ、１ｂ内に事前に準備してある図１のものと同様の羅針盤にレーダーチャート形式に点数がプロットされる。最大で２名の結果が同一シート上にプロットされる。顧客が２名、例えば夫婦の場合、図６に示す「ライフスタイルコンパス」が得られる。実線が夫の特性を示し、破線が妻の特性を示す。
【００４８】
この「ライフスタイルコンパス」では、カラーで見やすく色分けされたユーザの価値観の分布図を作成することができるため、ライフスタイルデータの重み、組み合わせ、夫婦間のずれ等によって、過去の実績からその顧客の価値観を推測することができる。
【００４９】
また、クライアントコンピュータ１ａ、１ｂの特性分析手段５ｄは、入力されたライフスタイルデータに基づいて顧客の特性を分析する。この場合、顧客の価値観と重要視する内容などを図示することができる。
【００５０】
こうして、抽出されたコンセプトは「ライフスタイルマップ」及び「リフォームコンシェルジュコンセプト」からなる。「ライフスタイルマップ」の作成には、エスキース法（演習）、ブレイクダウン法（ニーズ分析）、マインドマップ法（心の地図づくり）又はライフコンセプト法（着想法）が行われ得る。
【００５１】
エスキース法は、エスキースを建築動機の視点から行う手法である。早めにプランへ進みたいという顧客向きである。
【００５２】
ブレイクダウン法は、チャートの動機分析を帰納法的に説明する手法である。「仮説」に根拠があり、論理的思考を好む顧客に適切である。
【００５３】
マインドマップ法は、家族内のわだかまりを編集する心理学的手法である。家族内の要求に差異がある場合に特に有効である。
【００５４】
ライフコンセプト法は、プレゼンテーションの概念を演繹法的に説明する手法である。プランニング提案に向け、その着想を説明する。ほとんどの顧客に有効な最もインパクトがある方法である。
【００５５】
顧客が夫婦の場合には、「ライフスタイルマップ」は「ふたりのライフスタイルマップ」とされる。「ふたりのライフスタイルマップ」作成のためのロジックは、以下のとおりである。
【００５６】
（Ａ）ふたりの重なり部分を抽出
【００５７】
それぞれの評価が５−５、５−４、４−５、４−４と共通の評価の基準を下げながら、項目が３以上８以下になるまでコメント抽出を続ける。
【００５８】
優先順位が同一のコメントが残った場合は、対象コメントの中からランダムに抽出する。
【００５９】
（Ｂ）ふたりの思いが重ならない部分（２人分）を抽出
【００６０】
上記（Ａ）で対象とならなかったコメントを対象として抽出を行う。
【００６１】
評価が５のものを抽出対象とし、５がついているものがなくなった時点で３個以上のコメントが選択されていない場合は引き続き、４、３、２、１と評価対象を下げていく。
【００６２】
最大８つのコメントまで抽出する。
【００６３】
対象となる２人に対して、上記抽出作業を行う。
【００６４】
優先順位が同一のコメントが残った場合は、対象コメントの中からランダムに抽出する。
【００６５】
「ふたりのライフスタイルマップ」のコメントには、両者の独自コンセプトとして例えば「空気のキレイな家」、「静かに没頭できるライブラリー」、「趣味やレクレーションの場」、「四季の花木が楽しめる庭づくり」、「てきぱきと家事が片付けられる」、「念入りに入浴やお化粧」、「好きなインテリアと一緒の生活」及び「我が家らしいエクステリアデザイン」と、「ワンルームのパブリックスペース」、「普段着で気軽な来客」、「家族ぐるみで迎える来客」、「ソファを置ける広いリビング」、「楽しい食卓・にぎやかな会話」、「家族ぐるみで配膳・片付け」、「家族の息づかいが感じられるしくみ」及び「家族の一体感、共同作業」とが表示され、共通コンセプトとして、「明るく健康的な室内環境」、「華美ではなく、シンプルなインテリア」、「ゆっくりと休み、新しい自分に生まれ変わる」、「のんびりリラックスできる時間」、「家族や来客に喜ばれる料理作り」、「木の香りのするインテリア」、「壁に納められた収納・飾り棚」及び「耐久性の高い家」が表示される。
【００６６】
マインドマップ法によって図示した「ふたりのライフスタイルマップ」の一例を図７に示す。この「ふたりのライフスタイルマップ」では、夫が好むスタイル、妻が好むスタイル及び両者が共通して好むスタイルが記載される。夫が好むスタイル及び妻が好むスタイルが独自コンセプトであり、両者が共通して好むスタイルが共通コンセプトである。
【００６７】
この「ふたりのライフスタイルマップ」は、顧客と担当者で夫婦間の違いを認識しながらリフォーム方針を検討するための参考資料とされる。
【００６８】
こうして、「ライフスタイルマップ」では、これまでに蓄積してきた顧客データから自動的に顧客価値観を推測し、その顧客の興味分野や夫婦間のズレを把握するためのマップを自動的に発行することができる。誰がやっても同じような結果となり、又時間もかからない。
【００６９】
また、ライフコンセプト法によって図示した「リフォームコンシェルジュコンセプト」の一例を図８に示す。この「リフォームコンシェルジュコンセプト」では、これまでの結果（「ライフスタイルアンケート」の用紙やそれによって出力された帳票）に基づいた結論付けとして、リフォーム時のコンセプトが明示されている。
【００７０】
この「リフォームコンシェルジュコンセプト」も、顧客と担当者で興味のある分野・リフォームの方針を決定するための参考資料とする。
【００７１】
こうして、「リフォームコンシェルジュコンセプト」では、これまでに蓄積してきた顧客データから自動的に顧客価値観を推測し、その顧客の家づくりに関するトータルコンセプトを文章化することができる。誰がやっても同じような結果となり、又時間もかからない。
【００７２】
そして、クライアントコンピュータ１ａ、１ｂの住宅設備建材抽出手段７ｂは、コンセプト抽出手段５ｃによって抽出されたコンセプトをもつ住宅設備建材を記憶部７ａから抽出する（設備建材抽出ステップ）。住宅設備建材抽出手段７ｂは、共通コンセプトをもつ住宅設備建材を記憶部７ａから抽出する。
【００７３】
抽出した住宅設備建材は、「リフォームコンシェルジュプラン」として、プリントアウトされる。キッチンについての「リフォームコンシェルジュプラン」の一例を図９に示す。
【００７４】
この「リフォームコンシェルジュプラン」は、顧客と担当者で興味のある分野・リフォームの方針を決定するための参考資料とする。これにより、夫婦の個々を尊重しながら、価値観が共通する部分を最大限生かした住宅設備建材の提案を行うことができる。
【００７５】
こうして、この住宅設備建材提案システムによれば、個々の工務店又はショールームの担当者は、顧客のよき相談相手となって密接なコミュニケーションを取ることができ、潜在化した顧客の特性を明確な形で提示できるとともに、具体的な建築提案書を簡単に提示できる。
【００７６】
したがって、この住宅設備建材提案システムによれば、住まいに関し、顧客の特性をより正確に予想し、ひいては工事の受注率を上げ、顧客満足度を向上させることができる。
【００７７】
また、この住宅設備建材提案システムでは、入力部５ａ、チャート表示手段５ｂ、コンセプト抽出手段５ｃ、特性分析手段５ｄ、記憶部７ａ及び住宅設備建材抽出手段７ｂが各クライアントコンピュータ１ａ、１ｂ内に設けられている。そして、サーバコンピュータ３により、各クライアントコンピュータ１ａ、１ｂ内へのデータの保管及び提供並びにプログラム及びデータの更新が行われる。このため、各クライアントコンピュータ１ａ、１ｂにより迅速な住宅設備建材の提案を行うことができるとともに、サーバコンピュータ３からの情報提供により各クライアントコンピュータ１ａ、１ｂを最適な状態に確保することも可能になり、工事の受注率の向上、顧客満足度の向上を実現し易い。
【００７８】
さらに、この住宅設備建材提案システムでは、図１０に示すように、サーバコンピュータ３によって各クライアントコンピュータ１ａ、１ｂから取得したライフスタイルデータ、顧客基礎データ、受注データ及び逸注データを取得することができる。また、図４にも示すように、サーバコンピュータ３が商品開発部署のコンピュータ３ｂと接続されている。このため、顧客のアンケート結果や基礎データについてはデータベース３ａに蓄積していくができる。そして、データの増加とともに「顧客価値観をキーワードに変換して出力するプログラム」のロジックを見直し、精度をアップさせることができる。また、顧客のデータと受注データ・逸注データ、顧客価値感については、多方面から顧客志向を分析し、「新商品の開発」、「営業政策への反映」に役立てることもできる。
【００７９】
以上において、本発明を実施例に即して説明したが、本発明は上記実施例に制限されるものではなく、その趣旨を逸脱しない範囲で適宜変更して適用できることはいうまでもない。
【産業上の利用可能性】
【００８０】
本発明は、住まいの新築、リフォーム等の建築用住宅設備建材の営業に利用可能である。
【図面の簡単な説明】
【００８１】
【図１】顧客の特性を羅針盤的に表す模式図である。
【図２】実施例の住宅設備建材提案システムの全体構成図である。
【図３】実施例に係るクライアントコンピュータのブロック構成図である。
【図４】実施例に係るクライアントコンピュータによる信号の流れ図である。
【図５】実施例に係る「ライフスタイルアンケート」の用紙の平面図である。
【図６】実施例に係る「ライフスタイルコンパス」の平面図である。
【図７】実施例に係る「ふたりのライフスタイルマップ」の平面図である。
【図８】実施例に係る「リフォームコンシェルジュコンセプト」の平面図である。
【図９】実施例に係る「リフォームコンシェルジュプラン」の平面図である。
【図１０】実施例に係るサーバコンピュータによる信号の流れ図である。
【符号の説明】
【００８２】
５ａ…入力部
５ｂ…チャート表示手段
５ｃ…コンセプト抽出手段
５ｄ…特性分析手段
７ａ…記憶部
７ｂ…住宅設備建材抽出手段
１ａ、１ｂ…クライアントコンピュータ
３…サーバコンピュータ
【図１】
0004781045.tif 000002
【図２】
0004781045.tif 000003
【図３】
0004781045.tif 000004
【図４】
0004781045.tif 000005
【図５】
0004781045.tif 000006
【図６】
0004781045.tif 000007
【図７】
0004781045.tif 000008
【図８】
0004781045.tif 000009
【図９】
0004781045.tif 000010
【図１０】
0004781045.tif 000011